(57)【要約】【課題】ハーネス側コネクタからコネクタカバーを外しにくくする。【解決手段】コネクタカバー５０１は、その内部に前記ハーネス側コネクタ４１０の第１及び第２の操作部４４３、４４４を収納する収納部を有し、ハーネス側コネクタ４１０が基板側コネクタ３６１と嵌合した場合に第１及び第２の操作部を前記収納部で収納することで外部からの第１及び第２の操作部４４３、４４４の操作を禁止する。ハーネス側コネクタ４１０の周囲の壁４１３には、ハーネス側コネクタ４１０の基端側より先端側の方が窪む段部４５３、４６３が設けられている。コネクタカバー５０１の内側面の開口から離れた位置には、ハーネス側コネクタ４１０の段部４５３、４６３と係合する係合突起部５８１、５８２…が設けられている。【選択図】図７
2008246058.tif 000002
【特許請求の範囲】
【請求項１】
基板側コネクタと電子部品とを有し、外部へ所定の信号を出力する制御基板と、
前記制御基板を収容するとともに、前記基板側コネクタを外部に露出させるコネクタ露出口が形成された基板ケースと、
前記基板ケースの外側に配置された電気部品に一端が接続するハーネスと、
先端側に前記基板側コネクタと嵌合する嵌合部を有し、基端側に前記ハーネスの他端が接続され、前記基板側コネクタと前記ハーネスを電気的に接続するハーネス側コネクタと、
前記ハーネスが挿通する貫通孔が形成された平面部と四面の壁を有して一面が開口し、この開口から前記ハーネス側コネクタの前記嵌合部を突出させた状態で前記ハーネス側コネクタの基端側を覆うとともに固定するコネクタカバーと、
を備える遊技機であって、
前記ハーネス側コネクタの周囲の互いに対向する第１及び第２の壁には、前記基板側コネクタに係合することで当該基板側コネクタからの当該ハーネス側コネクタの引き抜を禁止する第１及び第２の係合爪がそれぞれ設けられるとともに、前記基板側コネクタに対する前記第１及び第２の係合爪の係合を解除するための第１及び第２の操作部がそれぞれ設けられており、
前記ハーネス側コネクタの周囲の互いに対向する第３及び第４の壁には、前記ハーネス側コネクタの基端側より先端側の方が窪む第１及び第２の段部を設け、
前記コネクタカバーの内側面の前記開口から離れた位置には、前記ハーネス側コネクタの第１及び第２の段部に係合する第１及び第２の係合突起部を設け、
前記コネクタカバーは、前記ハーネス側コネクタの前記第１及び第２の操作部を収納する収納部を有し、当該ハーネス側コネクタが前記基板側コネクタと嵌合した場合に前記第１及び第２の操作部を前記収納部で収納することで外部からの前記第１及び第２の操作部の操作を禁止することを特徴とする遊技機。
【請求項２】
前記コネクタカバーは、前記基端側の貫通孔から前記開口に亘る一対の分割線に沿って前記第１及び第２の壁が分割されることで一方及び他方に半体に分割された状態で形成され、当該一方及び他方の半体にはカシメにより互いに嵌合するカシメ嵌合部が設けられていることを特徴とする請求項１に記載の遊技機。
【発明の詳細な説明】
【技術分野】
【０００１】
本発明は、基板ケースに収納した制御基板と接続するハーネス側コネクタをコネクタカバーで覆った遊技機に関する。
【背景技術】
【０００２】
近年、一般的なパチンコ、パチスロ（スロットマシン）などの遊技機は、電子部品を数多く使い、しかも遊技機の遊技状態を制御、管理するためにプログラム制御方式を利用している。マイクロプロセッサユニット（ＭＰＵ）を始め、ＩＣ，ＬＳＩなどの電子部品は、回路基板に搭載され用いられている。
【０００３】
例えばパチスロ機であれば、プログラム制御方式は、当たり（ボーナス）状態を決定したり、メダルの払い出し指令を出したり、また遊技者のスタート、ストップなどの操作状態を監視し、それに対応して回胴リールの回転を制御したり、あるいは遊技状態を表示する指令を出すなどパチスロ機の集中的な管理動作を司っている。そのための制御プログラムは、読み出し専用メモリ（ＲＯＭ）に記憶されており、このＲＯＭを取り替えることで新たな機能付加が出来るなど柔軟で経済的なパチスロ機の提供に貢献している。
【０００４】
ところでパチンコ、パチスロなどの射幸性をもつ遊技機においては、以前から「ゴト行為」と呼ばれる不正行為が後を絶たなかったが、遊技機の電子化によって新たに、例えば正規の制御プログラムが入っている読み出し専用メモリ（ＲＯＭ）を不正なプログラムのＲＯＭに差し替えたり、針金などを使って回路基板上の電子部品や印刷配線へアクセスし、アースやショートにより電子回路の誤動作を起こさせたりするなどの不正行為の問題も生じてきた。
そのため遊技機の回路基板を透明な硬質樹脂からなる基板ケースに収め、これら不正アクセス行為の防止策をとっている（例えば特許文献１参照）。
【０００５】
上記の基板ケースは、一般に本体ケースと上蓋ケースからなり、上蓋ケースは開閉可能で、しかも不正開蓋しにくくするため係合機構と複数のかしめ構造によって回路基板を保護する構造になっている。これらの構造に加え、さらに封印シールも併用することによって、不正なアクセスに対しては開放しにくく、また開放された場合はその痕跡が残り発見しやすくし、また検査や保守作業など権限のある者が開放しようとする場合は、作業性よく容易に開けることが可能なようになっている。
【０００６】
前述の基板アセンブリに収容された回路基板は、遊技機内の他の装置類と配線ケーブルのハーネスによって接続されている。そのため基板ケースには、ハーネスのコネクタ（ハーネス側コネクタ）又は基板側コネクタを挿通するための開口部が設けられている。前記基板側コネクタとコネクタ挿通用開口部の隙間を無くしようとしても、現実には種々の製造上生じる誤差を考慮して収容ケースの開口部とコネクタの間に隙間（クリアランス）を取らざるを得ない。そのためこの隙間から例えば針金などを差し込み、基板回路や電子部品に触れて基板回路の動作を変更し賞を獲得するなど不正行為が行われることがあった。
【０００７】
これに加えて、従来では、遊技施設の関係者等が基板側コネクタから正規のハーネスを外し、正規の回路基板を収納した基板ケースを不正な回路基板を収納した基板ケースに取り替える不正行為が行われたり、正規のハーネスを外した基板側コネクタに打ち込み機と呼ばれるデータ信号入力装置を接続して通常モードをリプレイタイム等のモードに変更する行為が行われたりしていた。
【０００８】
このことに対応して、近年では、ハーネス側コネクタに対して、基板側コネクタに係合することで当該基板側コネクタからの当該ハーネス側コネクタの引き抜を禁止する係合爪を設け、基板側コネクタに対する係合爪の係合を解除するための操作部を設けるとともに、ハーネス側コネクタにコネクタカバーを取り付け、基板収容ケースのコネクタ挿通用開口部とコネクタ間に存在する隙間を塞ぐとともにハーネス側コネクタの操作部を操作できないようにすることで前記基板側コネクタからハーネス側コネクタを引き抜けないようにしたスロットマシンが実用化されている。ここで、前記コネクタカバーは、前記ハーネスが挿通する貫通孔が形成された平面部と四面の壁を有して一面が開口し、この開口から前記ハーネス側コネクタの前記嵌合部を突出させた状態で前記ハーネス側コネクタの基端側を覆う。
【０００９】
【特許文献１】特開２００４−２０９２３８号公報
【発明の開示】
【発明が解決しようとする課題】
【００１０】
しかしながら従来のコネクタカバーにより制御基板への不正アクセスを防止するとともに基板側コネクタからハーネス側コネクタを引き抜けないようにした構造では、コネクタカバーの開口に形成された段部等の係止部によりハーネス側コネクタを係止する構造を採用しているため、係止部を刃物で切断してハーネス側コネクタからコネクタカバーが外され、回路基板への不正アクセス、基板側コネクタからハーネス側コネクタを引き抜くことによる回路基板の不正交換、打ち込み機による不正なモード変更等の不正行為が行われる可能性が高く、さらに係止部を刃物で切断し場合の痕跡は目立たないので、遊技機の検査を行う際に不正行為が行われたことを見落とす可能性が高かった。
【００１１】
本発明は、こうした従来の問題に鑑みてなされたものであり、ハーネス側コネクタからコネクタカバーを外しにくくするとともに、コネクタカバーを破壊することなく基板側コネクタからハーネス側コネクタを引き抜くのを困難にできる遊技機を提供することを目的としている。
【課題を解決するための手段】
【００１２】
上述した課題を解決するため、請求項１に記載の発明は、基板側コネクタと電子部品とを有し、外部へ所定の信号を出力する制御基板と、前記制御基板を収容するとともに、前記基板側コネクタを外部に露出させるコネクタ露出口が形成された基板ケースと、前記基板ケースの外側に配置された電気部品に一端が接続するハーネスと、先端側に前記基板側コネクタと嵌合する嵌合部を有し、基端側に前記ハーネスの他端が接続され、前記基板側コネクタと前記ハーネスを電気的に接続するハーネス側コネクタと、前記ハーネスが挿通する貫通孔が形成された平面部と四面の壁を有して一面が開口し、この開口から前記ハーネス側コネクタの前記嵌合部を突出させた状態で前記ハーネス側コネクタの基端側を覆うとともに固定するコネクタカバーと、を備える遊技機であって、前記ハーネス側コネクタの周囲の互いに対向する第１及び第２の壁には、前記基板側コネクタに係合することで当該基板側コネクタからの当該ハーネス側コネクタの引き抜を禁止する第１及び第２の係合爪がそれぞれ設けられるとともに、前記基板側コネクタに対する前記第１及び第２の係合爪の係合を解除するための第１及び第２の操作部がそれぞれ設けられており、前記ハーネス側コネクタの周囲の互いに対向する第３及び第４の壁には、前記ハーネス側コネクタの基端側より先端側の方が窪む第１及び第２の段部を設け、前記コネクタカバーの内側面の前記開口から離れた位置には、前記ハーネス側コネクタの第１及び第２の段部に係合する第１及び第２の係合突起部を設け、前記コネクタカバーは、前記ハーネス側コネクタの前記第１及び第２の操作部を収納する収納部を有し、当該ハーネス側コネクタが前記基板側コネクタと嵌合した場合に前記第１及び第２の操作部を前記収納部で収納することで外部からの前記第１及び第２の操作部の操作を禁止することを特徴とする。
【００１３】
請求項２の遊技機は、請求項１に記載の遊技機であって、前記基端側の貫通孔から前記開口に亘る一対の分割線に沿って前記第１及び第２の壁が分割されることで一方及び他方に半体に分割された状態で形成され、当該一方及び他方の半体にはカシメにより互いに嵌合するカシメ嵌合部が設けられていることを特徴とする。
【００１４】
請求項１及び２に記載の遊技機によれば、前記ハーネス側コネクタの第１及び第２の段部に係合する第１及び第２の係合突起部を前記コネクタカバーの内側面の前記開口から離れた位置に設けることで、第１及び第２の係合突起部を刃物で切断することを防止できるので、ハーネス側コネクタからコネクタカバーを外しにくくすることが可能であり、これに加えて、前記基板側コネクタに対する前記第１及び第２の係合爪の係合を解除するための前記第１及び第２の操作部をコネクタカバーの前記収納部で収納することでハーネス側コネクタが前記基板側コネクタと嵌合した場合に外部からの前記第１及び第２の操作部の操作を禁止するので、コネクタカバーを破壊することなく基板側コネクタからハーネス側コネクタを引き抜くのを困難にできる。
【００１５】
請求項２に記載の遊技機によれば、一方及び他方の半体の間にハーネス側コネクタ及びハーネスを挟んだ状態で当該一方及び他方の半体をカシメにより嵌合することでハーネス側コネクタに前記コネクタカバーを容易に取り付けることが可能なだけではなく、カシメによってコネクタカバーが嵌合されているため簡単には取り外せないようになっており、制御基板に対する不正器具を用いた不正行為を防止することができる。
【発明の効果】
【００１６】
本発明の遊技機によれば、第１及び第２の係合突起部を刃物で切断するのを困難にして、ハーネス側コネクタからコネクタカバーを外しにくくすることが可能であり、さらに、前記基板側コネクタの第１及び第２の操作部をコネクタカバーの前記収納部で収納することでハーネス側コネクタが前記基板側コネクタと嵌合した場合に外部からの前記第１及び第２の操作部の操作を禁止するので、コネクタカバーを破壊することなく基板側コネクタからハーネス側コネクタを引き抜くのを困難にでき、制御基板への不正アクセス、制御基板の不正交換、打ち込み機による制御基板の不正なモード変更等の不正行為の早期発見が可能になり、遊技施設外の人物の不正行為による遊技施設の損失を防止し、遊技施設の経営状態を改善できるとともに、遊技施設の関係者による不正行為を禁止すること及び不正に対する警告を行うことができ、遊技者に対して公正な遊技を提供できる。
【発明を実施するための最良の形態】
【００１７】
以下、本発明に係る遊技機の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。
【００１８】
図１において、スロットマシン１は、前方に開口を有する略矩形状の箱体である外装筐体２と、当該外装筐体２に対して蝶番機構により回動可能に取り付けられることで前記開口を開閉可能な状態で閉塞させる前扉３とを備えている。
【００１９】
図１及び図２において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００２０】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００２１】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して外装筐体２内に設けられているリールユニット１００の３個のリール１０１ａ、１０１ｂ、１０１ｃが目視されるようになっている。
【００２２】
ここで、外装筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２３】
上部パネル部４の上部には、高輝度発光ダイオード等のランプ類を内蔵する演出用照明部４６と、ゲームに係る効果音を発生させるスピーカを内蔵する演出用放音部４８ａ、４８ｂが配置されている。
【００２４】
スロットマシン１は、ゲームの進行に応じて上述した演出用照明部４６等が点灯又は点滅することで、ゲームにおける視覚的な演出効果を高めるように形成されている。
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２５】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２６】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２７】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２８】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２９】
さらに、操作卓７の前面の左隅には、ゲームに賭けられたメダルをキャンセルして払い出させることを指示するとともに、後述するメダルクレジット手段２０３（図４参照）が内部貯留したメダルを精算して払い出させることを指示するための精算ボタン７７が設けられている。
【００３０】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって外装筐体２に取り付けられている前扉３を前方へ開くことができ、また前扉３を外装筐体２側に閉じると、自動的にこれらを施錠するようになっている。
【００３１】
下部パネル部５には、スロットマシン１のモデルタイプを遊技者へ認識させる等のため、登場キャラクターの絵などを表示する表示パネル５１が設けられている。
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００３２】
次に、図３を参照して、外装筐体２の内部構造と前扉３の裏面構造とを説明する。
図３において、外装筐体２の前方には開口８を有している。この開口８内の上部には、左右のブラケット部材２５１、２５２を介して主制御基板ユニット９０が取り付けられている。主制御基板ユニット９０は、硬質プラスチックの基板ケース２５０に主制御基板２０を収納したものである。
【００３３】
主制御基板２０は、スロットマシン１の全体動作を集中制御するＣＰＵ（マイコン）を備えている。
【００３４】
外装筐体２内の中央には、リール１０１ａ、１０１ｂ、１０１ｃを備えるリールユニット１００が設けられている。リールユニット１００は、前扉３が外装筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３５】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３６】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源基板２４が設けられている。電源ユニット２３は、後述のハーネスを介してホッパ装置２１、電源ユニット２３及びサブ制御基板４０と電気的に接続する。更に、外装筐体２の上部右側の内壁に、遊技場に設置されている「ホールコンピュータ」と呼ばれる管理用コンピュータと接続可能な外部集中端子基板２５が取り付けられている。
【００３７】
次に、前扉３の裏面側上部には、発光駆動部３０が配置されている。発光駆動部３０は、演出用照明部４６の光源である高輝度の発光ダイオードが複数配列され、この発光ダイオードを発光駆動する駆動回路が実装されている。
【００３８】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２６０に収納されたサブ制御基板４０が取り付けられている。
【００３９】
主制御基板２０及びサブ制御基板４０は、スロットマシン１の作動を制御する制御基板である。
【００４０】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４１】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４２】
メダル選別装置３４の装置本体の下方には、メダル選別装置３４によって振り分けられた正規のメダルを外装筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取り付けられている。
【００４３】
なお、スロットマシン１全体の動作は、外装筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４４】
次に、図４のブロック図を参照して、スロットマシン１に設けられている制御システムについて説明する。
図４において、主制御基板２０は、ＣＰＵ２００と、記憶部２０１とを備えている。
【００４５】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
また、記憶部２０１にはメダルクレジット手段２０３が設けられている。メダルクレジット手段２０３はスロットマシン１が内部貯留するメダルの数であるクレジットをメモリに記憶する。
【００４６】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００４７】
主制御基板２０は、前記操作スイッチ類やメダル選別装置３４のメダルセンサ３４ａからの出力信号によりゲームに係る操作を検出する。
主制御基板２０は、動作モードがメダルベット待機状態となっている場合において、メダルセンサ３４ａがメダルを検出した場合、検出したメダルをゲームの賭数に加算する。
【００４８】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００４９】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５０】
主制御基板２０は、入賞が確定した場合等において、ホッパ装置２１を制御することで、所定数のメダルをメダル受皿６ａに払い出す。
また、主制御基板２０は、精算ボタン７７が操作された場合、ゲームに賭けられたメダルをキャンセルしてホッパ装置２１に払い出させるとともに、メダルクレジット手段２０３（図４参照）が内部貯留したメダルを精算してホッパ装置２１に精算前のクレジット数のメダルを払い出させる。
【００５１】
サブ制御基板４０は、主制御基板２０からの制御信号に基づいて液晶表示装置４９（図１参照）、演出用照明部４６（図１参照）、演出用放音部４８ａ、４８ｂ、６２ａ、６２ｂ（図１参照）のスピーカ３２ａ、３２ｂ、３８ａ、３８ｂ等の演出装置２１０を制御駆動することで、遊技者の視覚や聴覚に訴える演出をゲームの進行に応じて行っている。
【００５２】
一方、主制御基板２０の記憶部２０１には、入賞抽選テーブル２０４が記憶されている。また、記憶部２０１には、内部当選した入賞役に対応するフラグを記憶する内部抽選フラグ記憶領域２０５が設定されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、記憶部２０１の内部抽選フラグ記憶領域２０５の当選した入賞役のフラグをオンにする。ここでは、かかる入賞役の抽選方法を「内部抽選」と呼んでいる。
【００５３】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５４】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域２０５に記憶される。
【００５５】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域２０５に対応する入賞役に係る図柄の組合せとが一致しているかどうか判定する。
【００５６】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００５７】
主制御基板ユニット９０及びその周辺部について詳細に説明する。
図５は、主制御基板ユニット９０の分解斜視図である。図６は、主制御基板ユニット９０の外観を示す斜視図である。図７は、ハーネス側コネクタ４１０、基板側コネクタ３６１及びその周辺部のコネクタ基端側寄りから見た分解斜視図である。図８は、ハーネス側コネクタ４１０及びコネクタカバー５０１のコネクタ先端側寄りから見た分解斜視図である。図９は、コネクタカバー５０１を取り付けたハーネス側コネクタ４１０のコネクタ基端側寄りから見た斜視図である。図１０は、コネクタカバー５０１を取り付けたハーネス側コネクタ４１０のコネクタ先端側寄りから見た斜視図である。図１１は、ハーネス側コネクタ４１０の半体５１１の左側から見た側面図である。図１２は、ハーネス側コネクタ４１０の半体５１１の正面図である。図１３は、ハーネス側コネクタ４１０の半体５１１の右側から見た側面図である。図１４は、ハーネス側コネクタ４１０の半体５１１の背面図である。図１５は、ハーネス側コネクタ４１０の半体５１１の上面図である。図１６は図１３の半体５１１のＡ−Ａ線断面図である。図１７は図１３の半体５１１のＢ−Ｂ線断面図である。図１８はハーネス側コネクタ４１０、基板側コネクタ３６１及びその周辺部のコネクタ基端側寄りから見た斜視図である。図１９は、ハーネス側コネクタ４１０、基板側コネクタ３６１及びその周辺部の断面図である。
【００５８】
図５において、主制御基板ユニット９０は、基板ケース２５０と主制御基板２０とから構成される。
主制御基板２０は、スロットマシンの動作制御を司る回路基板であり、マイクロプロセッサ（ＭＰＵ）３５１、ＲＯＭ３５２、ＲＡＭ３５３などの記憶素子、基板側コネクタ３６１、３６２、３６３、３６４などの電子部品が搭載されている。
【００５９】
基板ケース２５０は、相対向して「モナカ合せ」に接合される本体ケース３０１と上蓋ケース３０２とで構成されており、通常、これらのケースは透明な硬質樹脂材質から成形されている。基板ケース２５０を透明にするのは、収容ケース内部への不正侵入の痕跡等を発見しやすくするためであり、また硬質樹脂を使うのは、破壊や隙間からのこじ開けなど不正行為に対抗するためである。
【００６０】
本体ケース３０１には、その周縁上部に複数のヒンジ軸部３１１が、周縁下部に複数の係止アーム３１２が設けられている。また、上蓋ケース３０２の側にも、上述のヒンジ軸部３１１及び係止アーム３１２に対応して、周縁上部に複数のヒンジ軸受部３２１が、周縁下部に複数の係止突起３２２が設けられている。
【００６１】
基板ケース２５０は、三対あるヒンジ軸部３１１とヒンジ軸受部３２１を結合させた状態で、これを支点にして上蓋ケース３０２を、本体ケース３０１の側に接合するように回動動作することで、上蓋ケース３０２と本体ケース３０１とが「モナカ合せ」に接合される。さらに、基板ケース２５０は、両ケースに設けた係止アーム３１２、係止突起３２２同士を係止動作させることで、図６に示すように、主制御基板２０が、本体ケース３０１と上蓋ケース３０２との間にサンドイッチ状に収容されるようになっている。
【００６２】
このような構成により、主制御基板２０は、これが本体ケース３０１と上蓋ケース３０２とに覆われて外部に露出しないから主制御基板２０自体に対する不正アクセス行為が行われないようになる。
【００６３】
さらに主制御基板ユニット９０においては、図５に示すように、基板ケース２５０を不正に開放できなくする不正行為防止対策として、本体ケース３０１と上蓋ケース３０２との間に、両ケースに跨ってケースの接合時に互いに組み合わされて結合動作される第１の封止機構３１３、３２３が設けられている。
【００６４】
これら封止機構３１３、３２３は、本体ケース３０１と上蓋両ケース３００とに跨って配置した封止部材同士を一旦結合させると、その封止部材をニッパ等で破壊しなければ切り離せない構造になっており、このような構造によって主制御基板２０に対する不正なアクセス行為が防止される。
【００６５】
なお、主制御基板ユニット９０では、第１の封止機構３１３、３２３が基板ケース２５０の周縁下部に４対設けられ、また第２の封止機構３３０が基板ケース２５０の右側領域に４対設けた例を示しているが、第１の封止機構３１３、３２３のみが基板ケース２５０を封止するために使用され、第２の封止機構３３０は、主制御基板ユニット９０を筐体２（図２参照）のブラケット２５２（図２及び図６参照）に封止するために使用される。
【００６６】
ここで、上述の封止機構３１３，３２３による封止動作は、４対のうち、１対の封止機構のみを使うもので、検査時や保守時に際して、封止部材をニッパなどで破壊切断して本体ケース３０１と上蓋ケース３０２とを開放した場合、次の封止時には、残っている未使用の封止部材を用いて封止動作するものである。この際、万一の不正開蓋を発見しやすくするために、封印シールを本体ケース３０１と上蓋ケース３０２とに跨って貼付するという運用をしてもよい。
【００６７】
また、図５において、上蓋ケース３０２には、コネクタ露出口３３１、３３２、３３３、３３４が形成されている。コネクタ露出口３３１、３３２、３３３、３３４は、図６に示すように主制御基板ユニット９０が組み立てられた状態で、主制御基板２０に装備されている基板側コネクタ３６１、３６２、３６３、３６４をケース外に露出させる。
【００６８】
このように露出する構成とした場合、上蓋ケースのコネクタ露出口３３１、３３２、３３３、３３４とこれに挿通される基板側コネクタ３６１、３６２、３６３、３６４との間には、隙間が生じる。
【００６９】
以下、図７乃至図１９を参照して基板側コネクタ３６１に接続するハーネス側コネクタについて説明する。
【００７０】
図７において、上蓋ケース３０２のコネクタ露出口３３１は、基板側コネクタ３６１を露出させるためのものである。基板側コネクタ３６１は、主制御基板２０に電気的に接続するとともに、サブ制御基板４０（図４参照）に電気的に接続するハーネス４０１のハーネス側コネクタ４１０と結合する。
また、ハーネス４０１のハーネス側コネクタ４１０には、コネクタカバー５０１が取り付けられるようになっている。
【００７１】
基板側コネクタ３６１は、５０ピンのコネクタであり、回路基板としての主制御基板２０の一面に固定され、主制御基板２０が基板ケース２５０（図６参照）に収納された状態で、主制御基板２０に形成された左右各２５個、計５０個の端子挿入孔３７１、３７１…３７１、３７２、３７２…３７２（図１９参照）を介して当該主制御基板２０の他面に形成された配線パターンと電気的に接続するとともに、ハーネス４０１の一端に設けられたハーネス側コネクタ４１０と結合して前記ハーネス４０１の個々の配線ケーブルと電気的に接続する。
【００７２】
以下、基板側コネクタ３６１について更に詳細に説明する。
基板側コネクタ３６１は、絶縁筐体３７０に、第１の列の電極ピン３７３、３７３…３７３と、第２の列の電極ピン３７４、３７４…３７４とを植設したものである。
【００７３】
絶縁筐体３７０は、合成樹脂等の絶縁性の素材で形成され、前記ハーネス側コネクタ４１０と結合する結合面３８１（図１９参照）を有し、この結合面３８１を主制御基板２０の反対側に向けて配置している。また、絶縁筐体３７０は、当該結合面３８１の反対側に前記主制御基板２０に取り付けられる基端面３８２（図１９参照）を有している。
前記結合面３８１には、前記ハーネス側コネクタ４１０の嵌合部４２１が挿入される凹部３８５が形成されている。この凹部３８５は、開口形状が横長の四角形になっている。
【００７４】
図１９において、絶縁筐体３７０の前記基端面３８２の左寄りには、第１の列の電極ピン３７３の一端側が挿入される貫通孔３８６が形成されている。
【００７５】
絶縁筐体３７０の前記基端面３８２の右には、第２の列の電極ピン３７４の一端側が挿入される貫通孔３８７が形成されている。
【００７６】
第１の列の電極ピン３７３の他端側は、主制御基板２０に形成された端子挿入孔３７１に挿入され、配線パターン３８９に対して半田３９０により半田付けされ電気的に接続される。
第２の列の電極ピン３７４の他端側は、主制御基板２０に形成された端子挿入孔３７２に挿入され、配線パターン３９１に対して半田３９２により半田付けされ電気的に接続される。
【００７７】
図７において、絶縁筐体３７０の上側面及び下側面には、ハーネス側コネクタ４１０の後述する係合爪４４１、４４２が挿入される貫通部３９３、３９４が形成されている。絶縁筐体３７０の左側面には、ハーネス側コネクタ４１０の後述する突起部４２２が挿入されるスリット３９５が形成されている。
【００７８】
次に、ハーネス側コネクタ４１０について詳細に説明する。
図７において、ハーネス側コネクタ４１０は、ジャック絶縁体４２０と、金等の導電性の高い金属で形成された複数のジャック端子４３１、４３２（図１９参照）と、ハーネス取付部材４３３（図１９参照）、４３４と、コネクタ着脱用可動部４３５、４３６と、板バネ４３７、４３８とを備えている。
【００７９】
ハーネス側コネクタ４１０の基端面と先端面（図７及び図８から見た場合の上面と下面）は、ハーネス側コネクタ４１０の外形の六面の壁の内互いに対向する二つの壁４１１、４１２（図８参照）になっている。
ハーネス側コネクタ４１０の外周には、互いに対向する大面積の壁４１３、４１４（図８参照）と互いに小面積の壁４１５、４１６（図８参照）により形成されている。
壁４１５、４１６（図８参照）は、前記ハーネス側コネクタ４１０の周囲の互いに対向する第１及び第２の壁になっている。
壁４１３、４１４（図８参照）は、前記ハーネス側コネクタの周囲の互いに対向する第３及び第４の壁になっている。
【００８０】
ジャック絶縁体４２０は、プラスチック等の絶縁性の素材で嵌合部４２１を一体形成したものである。嵌合部４２１の左面には、突起部４２２が形成されている。ジャック絶縁体４２０の嵌合部４２１は、基板側コネクタ３６１の凹部３８５に挿入されるようになっている。突起部４２２は、基板側コネクタ３６１のスリット３９５に挿入されるようになっている。
【００８１】
図８及び図１０に示すように、嵌合部４２１の先端面には、左右各２５個、計５０個の電極ピン挿入口４２３、４２４（図１９参照）が設けられている。図１９に示す電極ピン挿入口４２３、４２４は、図７に示すハーネス側コネクタ４１０と基板側コネクタ３６１が結合する場合に、それぞれ対応する電極ピン３７３、３７４が差し込まれるようになっている。
【００８２】
図１９に示す複数の電極ピン挿入口４２３、４２４の内部には、それぞれジャック端子４３１、４３２が植設されている。ジャック端子４３１、４３２は、それぞれ電極ピン挿入口４２３、４２４に挿入された電極ピン３７３、３７４と電気的に接続する。また、ジャック端子４３１、４３２の基端側は、開口４２５、４２６により外側に露出し、ハーネス４０１の個々の配線ケーブル４０３、４０４と電気的に接続している。ハーネス４０１は、ハーネス取付部材４３３、４３４によりＳ字に湾曲して押えつけられて固定され、コネクタカバー５０１に形成された貫通孔６００（図９及び図１８参照）を介して外部に延出している。
【００８３】
ハーネス取付部材４３３は、ジャック絶縁体４２０との間にハーネス４０１を挟んだ状態でジャック絶縁体４２０の上面及び下面と嵌合するようになっている。ハーネス取付部材４３４は、ハーネス取付部材４３３との間に挟んだ状態でハーネス取付部材４３３の上面及び下面と嵌合するようになっている。
【００８４】
図７において、ハーネス取付部材４３３の上部及び下部には、コネクタ着脱用可動部４３５、４３６が回動可能な状態で設けられている。コネクタ着脱用可動部４３５、４３６は、基板側コネクタ３６１の貫通部３９３、３９４に挿入して係止する係合爪４４１、４４２がそれぞれ形成されるとともに、ハーネス側コネクタ４１０の着脱の際に操作される操作部４４３、４４４が形成されている。
【００８５】
ハーネス取付部材４３４の上部及び下部とコネクタ着脱用可動部４３５、４３６の操作部４４３、４４３の裏側の間には、板バネ４３７、４３８が介挿されている。板バネ４３７、４３８は、係合爪４４１、４４２が基板側コネクタ３６１の貫通部３９３、３９４に挿入する方向にコネクタ着脱用可動部４３５、４３６を付勢している。
【００８６】
ハーネス取付部材４３４における第３及び第４の壁４１３、４１４（図８及び図１９参照）の上部には、コネクタカバー５０１と嵌合する嵌合部４５１、４５２が左右に突出して形成されている。ハーネス取付部材４３４における第３及び第４の壁４１３、４１４（図８及び図１９参照）の下部には、コネクタカバー５０１と嵌合する嵌合部４６１、４６２が左右に突出して形成されている。
【００８７】
第３及び第４の壁４１３、４１４の嵌合部４５１、４５２のコネクタ先端側は、前記ハーネス側コネクタ４１０の基端側より先端側の方が窪む第１及び第２の段部４５３（図７参照）、４５４（図８参照）になっている。
【００８８】
また、第３及び第４の壁４１３、４１４の嵌合部４６１、４６２の後ろ側は、前記ハーネス側コネクタ４１０の基端側より先端側の方が窪む第１及び第２の段部４６３（図７参照）、４６４（図８参照）になっている。
【００８９】
図７において、コネクタカバー５０１は、同一形状の一方及び他方の半体５１１、５１２から構成されている。
一方及び他方の半体５１１、５１２は、ポリカーボネイト等の透明で硬質であるとともに素材を変形させることで白化する合成樹脂を素材とし、基端面部５２１と、壁５２２と、第１及び第２の板状部５２３、５２４と、嵌合部５２５とを一体で形成したものである。
【００９０】
基端面部５２１は、外形が四角形に形成され、互いに対向する一方の辺及び他方の辺からは、板状部５２３、５２４（図１２参照）がコネクタ先端方向に延出して形成されている。基端面部５２１のもう一つ辺からは、壁５２２が先端方向に向けて延出して形成されている。
【００９１】
板状部５２３、５２４及び壁５２２の先端側には、板状部５２３、５２４及び壁５２２の外径より小径に形成された３面の板状の嵌合部５２５（図１１、図１３乃至図１５参照）が先端方向に向けて延出して形成されている。
【００９２】
基端面部５２１は、一方の半体と接続する接続面５６１側から切欠部５６２（図１２乃至図１７参照）が形成されている。基端面部５２１の接続面５６１の切欠部５６２より第１の板状部５２３側には、溝部５６３（図１３参照）が形成されている。基端面部５２１の切欠部５６２より第１の板状部５２３側の外側面５６４には、溝部５６３まで貫通する貫通部５６５が形成されている。
【００９３】
第１の板状部５２３の他方の半体と接続する接続面５６６には、溝部５６７が形成されている。第１の板状部５２３の外側面５６８には、溝部５６３まで貫通する貫通部５６９が形成されている。
【００９４】
基端面部５２１の接続面５６１の切欠部５６２より第２の板状部５２４側には、他方の半体の溝部５６３に挿入する板状挿入部５７３が形成されている。板状挿入部５７３の外側面５７４には、他方の半体の貫通部５６５に挿入して係止する爪部５７５が形成されている。
【００９５】
第２の板状部５２４の接続面５７６には、他方の半体の溝部５６７に挿入する板状挿入部５７７が形成されている。板状挿入部５７７の外側面５７８には、他方の半体の貫通部５６９に挿入して係止する爪部５７９が形成されている。
【００９６】
壁５２２の内側面５８０に第１の板状部５２３の近傍には、前記ハーネス側コネクタ４１０の第１の段部４５３または第２の段部４６４（図８参照）に係止する係合突起部５８１（図８、図１３、図１４及び図１６参照）が形成されている。
【００９７】
係合突起部５８１は、内側面５８０の先端側と基端側の中間位置に形成されている。係合突起部５８１と嵌合部５２５の間は段部５８３（図８、図１３及び図１６参照）によって嵌合部５２５の内側面と同一平面上に形成されている。
【００９８】
壁５２２の内側面５８０に第２の板状部５２４の近傍には、前記ハーネス側コネクタ４１０の第２の段部４５４（図８参照）または第１の段部４６３に係止する係合突起部５８２（図８、図１３、図１４及び図１７参照）が形成されている。
【００９９】
係合突起部５８２は、内側面５８０の先端側と基端側の中間位置に形成されている。第２の係合突起部５８２と嵌合部５２５の間は段部５８４（図８、図１３及び図１７参照）によって嵌合部５２５の内側面と同一平面上に形成されている。
【０１００】
また、図１３に示すように、壁５２２の内側面５８０における基端面部５２１側で第１の板状部５２３寄りの位置には、ハーネス側コネクタ４１０の嵌合部４５１（図７参照）または嵌合部４６２（図８参照）に係止する係合突起部５８５が形成されている。嵌合部４５１または嵌合部４６２は、基端面部５２１及び第１の板状部５２３の内側面と係合突起部５８１、５８５により挟まれることで、コネクタカバー５０１と嵌合する。
【０１０１】
壁５２２の内側面５８０における基端面部５２１側で第２の板状部５２４寄りの位置には、ハーネス側コネクタ４１０の嵌合部４５２（図８参照）または嵌合部４６１（図７参照）に係止する係合突起部５８６が形成されている。嵌合部４５２または嵌合部４６１は、基端面部５２１及び第２の板状部５２４の内側面と係合突起部５８２、５８６により挟まれることで、コネクタカバー５０１と嵌合する。
【０１０２】
図１１に示すように、半体５１１の壁５２２の外側面には、コネクタカバー５０１の偽造を困難にするため、ハーネス側コネクタ４１０の一つ一つと個別に対応する識別番号５８７が刻印されている。
【０１０３】
図７に示す半体５１１、５１２をハーネス側コネクタ４１０に取り付け固定する場合、まず作業者は、半体５１１をハーネス側コネクタ４１０の第３の壁４１３の基端側に被せ、半体５１１の基端面部５２１の切欠部５６２にハーネス４０１の半分を挿入し、ハーネス側コネクタ４１０の嵌合部４５１を基端面部５２１及び第１の板状部５２３の内側面と係合突起部５８１、５８５（図１３参照）に挟ませるとともに、ハーネス側コネクタ４１０の嵌合部４６１を基端面部５２１及び第２の板状部５２４の内側面と係合突起部５８２、５８６（図１３参照）に挟ませることで、半体５１１をハーネス側コネクタ４１０に嵌合させる。次に、作業者は、半体５１２の板状挿入部５７３、５７７を半体５１１の溝部５６３、５６７に挿入し、半体５１１の板状挿入部５７３、５７７を半体５１２の溝部５６３、５６７に挿入し、半体５１２の基端面部５２１の切欠部５６２にハーネス４０１の残り半分を挿入し、ハーネス側コネクタ４１０の嵌合部４６２を基端面部５２１及び第１の板状部５２３の内側面と係合突起部５８１、５８５に挟ませるとともに、ハーネス側コネクタ４１０の嵌合部４５２を基端面部５２１及び第２の板状部５２４の内側面と係合突起部５８２、５８６に挟ませ、半体５１２の貫通部５６５、５６９に半体５１１の爪部５７５、５７９を挿入し、半体５１１の貫通部５６５、５６９に半体５１２の爪部５７５、５７９を挿入することでカシメを行いコネクタカバー５０１を組み立てている。これにより、図９及び図１０に示すように、半体５１１、５１２より成るコネクタカバー５０１はハーネス側コネクタ４１０から取り外せない状態で固定する。この場合、ハーネス側コネクタ４１０の第１の段部４５３、４６３（図７参照）には半体５１１の係合突起部５８１、５８２が係止し、ハーネス側コネクタ４１０の第２の段部４５４、４６４（図８参照）には半体５１２の係合突起部５８２、５８１が係止するので、コネクタカバー５０１からハーネス側コネクタ４１０が外れることはない。
【０１０４】
図９に示すように、ハーネス側コネクタ４１０にコネクタカバー５０１を取り付けた状態では、半体５１１の上側の基端面部５２１と上側の半体５１２の上側の基端面部５２１は、一つの平面部５９０となる。半体５１１の第１の板状部５２３と半体５１２の第２の板状部５２４は、一つの壁５９１となる。図１０に示すように、半体５１１の第２の板状部５２４と上側の半体５１２の第１の板状部５２３は、一つの壁５９２となる。図９に示すように、半体５１１の基端面部５２１の切欠部５６２と半体５１２の基端面部５２１の切欠部５６２は、ハーネス４０１が挿通する貫通孔６００を形成する。図１０及び図１９に示すように、コネクタカバー５０１の背面には開口５９３が形成される。コネクタカバー５０１は、開口５９３からハーネス側コネクタ４１０の嵌合部４２１を突出させている。
【０１０５】
以下、コネクタカバー５０１を取り付けたハーネス側コネクタ４１０を基板側コネクタ３６１に接続する場合について説明する。
【０１０６】
図９に示すコネクタカバー５０１を取り付けたハーネス側コネクタ４１０を図７に示す基板側コネクタ３６１に接続する場合、まず、作業者は、図９に示すコネクタカバー５０１を指で保持し、ハーネス側コネクタ４１０の嵌合部４２１を図７に示す基板側コネクタ３６１の凹部３８５に挿入し、ハーネス側コネクタ４１０の突起部４２２を基板側コネクタ３６１のスリット３９５に挿入し、図９に示すコネクタカバー５０１の嵌合部５２５を図７に示す上蓋ケース３０２のコネクタ露出口３３１に挿入し、ハーネス側コネクタ４１０の係合爪４４１、４４２を基板側コネクタ３６１の貫通部３９３、３９４に挿入して係止させることで、図１８に示すようにハーネス側コネクタ４１０が基板側コネクタ３６１に接続固定する。
【０１０７】
ここで、図７に示すハーネス側コネクタ４１０の係合爪４４１、４４２が基板側コネクタ３６１の貫通部３９３、３９４に係止した状態では、基板側コネクタ３６１の凹部３８５からハーネス側コネクタ４１０の嵌合部４２１を引き抜けない状態になる。
【０１０８】
コネクタカバー５０１を取り付けたハーネス側コネクタ４１０を基板側コネクタ３６１に接続した状態では、半体５１１、５１２の壁５２２、５２２と壁５９１、５９２の先端側の外周は、前記基板ケース２５０のコネクタ露出口３３１の縁に密着する。
【０１０９】
このような構造により、主制御基板２０は、基板側コネクタ３６１と電子部品とを有し、外部へ所定の信号を出力する制御基板になっている。
基板ケース２５０は、前記主制御基板２０を収容するとともに、前記基板側コネクタ３６１を外部に露出させるコネクタ露出口３３１が形成された基板ケースになっている。
【０１１０】
ハーネス４０１は、前記基板ケース２５０の外側に配置された電気部品のサブ制御基板４０に一端が接続する。
ハーネス側コネクタ４１０は、先端側に前記基板側コネクタ３６１と嵌合する嵌合部４２１を有し、基端側に前記ハーネス４０１の他端が接続され、前記基板側コネクタ３６１とハーネス４０１を電気的に接続する。
【０１１１】
コネクタカバー５０１は、前記ハーネス４０１が挿通する貫通孔６００が形成された平面部５９０と四面の壁となる壁５９１、５９２及び壁５２２、５２２を有してコネクタカバー５０１一面が開口し、この開口５９３からハーネス側コネクタ４１０の嵌合部４２１を突出させた状態で前記ハーネス側コネクタ４１０の基端側を覆うとともに固定する。
【０１１２】
前記ハーネス側コネクタ４１０の周囲の互いに対向する第１及び第２の壁４１５、４１６には、前記基板側コネクタ３６１に係合することで基板側コネクタ３６１からの当該ハーネス側コネクタ４１０の引き抜を禁止する第１及び第２の係合爪４４１、４４２がそれぞれ設けられるとともに、前記基板側コネクタ３６１に対する第１及び第２の係合爪４４１、４４２の係合を解除するための第１及び第２の操作部４４３、４４４がそれぞれ設けられている。
【０１１３】
前記ハーネス側コネクタ４１０の周囲の互いに対向する第３及び第４の壁４１３、４１４には、前記ハーネス側コネクタ４１０の基端側より先端側の方が窪む第１の段部４５３、４６３及び第２の段部４５４、４６４がそれぞれ設けられている。
【０１１４】
前記コネクタカバー５０１の内側面の前記開口５９３から離れた位置には、前記ハーネス側コネクタ４１０の第１の段部４５３、４６３及び第２の段部４５４、４６４に係合する第１及び第２の係合突起部(他方の半体５１１、５１２の係合突起部５８１、５８２)、がそれぞれ設けられている。
【０１１５】
前記コネクタカバー５０１は、その内部に前記ハーネス側コネクタ４１０の前記第１及び第２の操作部４４３、４４４を収納する収納部を有し、当該ハーネス側コネクタ４１０が前記基板側コネクタ３６１と嵌合した場合に前記第１及び第２の操作部を前記収納部で収納することで外部からの第１及び第２の操作部４４３、４４４の操作を禁止する。
【０１１６】
前記コネクタカバー５０１は、透光性を有するとともに、素材を変形させることで白化する素材を用いている。
前記コネクタカバー５０１は、前記基端側の貫通孔６００から前記開口５９３に亘る一対の分割線６０１、６０２（図９参照）に沿って第１及び第２の壁５９１、５９２が分割されることで及一方及び他方の半体５１１、５１２に分割され、当該一方及び他方の半体５１１、５１２にはカシメにより互いに嵌合するカシメ嵌合部として爪部５７５、７７９と貫通部５６５、５６９が設けられている。
【０１１７】
このような構成のスロットマシン１によれば、前記ハーネス側コネクタ４１０の第１及び第２の段部４５３、４５４、４６３、４６４に係合する第１及び第２の係合突起部５８１、５８２を前記コネクタカバー５０１の内側面の前記開口５９３から離れた位置に設けたので、第１及び第２の係合突起部５８１、５８２を刃物で切断するのを困難にして、ハーネス側コネクタ４１０からコネクタカバー５０１を外しにくくすることが可能である。
【０１１８】
また、スロットマシン１によれば、前記基板側コネクタ３６１に対する前記第１及び第２の係合爪４４１、４４２の係合を解除するための第１及び第２の操作部４４３、４４４をコネクタカバー５０１の収納部で収納することでハーネス側コネクタ４１０が基板側コネクタ３６１と嵌合した場合に外部からの第１及び第２の操作部４４３、４４４の操作を禁止するので、コネクタカバー５０１を破壊することなく基板側コネクタ３６１からハーネス側コネクタ４１０を引き抜くのを困難にできる。
【０１１９】
さらに、ハーネス側コネクタ４１０からコネクタカバー５０１を強制的に外した場合に第１及び第２の係合突起部５８１、５８２が折れるか又は変形して第１及び第２の係合突起部５８１、５８２やその周辺部が白化するので、ハーネス側コネクタ４１０からコネクタカバー５０１を強制的に外した場合の痕跡を目立たせることができる。これにより、主制御基板２０への不正アクセス、主制御基板２０の不正交換、打ち込み機による主制御基板２０に対する不正なモード変更等の不正行為の防止及び不正行為の早期発見が可能になり、遊技施設外の人物の不正行為による遊技施設の損失を防止し、遊技施設の経営状態を改善できるとともに、遊技施設の関係者による不正行為を禁止すること及び不正に対する警告を行うことができ、遊技者に対して公正な遊技を提供できる。
【０１２０】
また、スロットマシン１によれば、一方及び他方の半体５１１、５１２の間にハーネス側コネクタ４１０及びハーネス４０１を挟んだ状態で当該一方及び他方の半体５１１、５１２をカシメにより嵌合することでハーネス側コネクタ４１０に前記コネクタカバー５０１を容易に取り付けることが可能になり、容易に主制御基板２０に対する不正アクセスを防止することができる。さらに、カシメによってコネクタカバー５０１が嵌合されているため簡単には取り外せないようになっており、主制御基板２０に対する不正器具を用いた不正行為を防止することができる。
【０１２１】
尚、図１乃至図１９に示した実施形態では、ハーネス側コネクタ４１０及び基板側コネクタ３６１として５０ピンのコネクタを用いたスロットマシンに本発明を適用したが、例えば１２ピン等、別のピン数のハーネス側コネクタ及び基板側コネクタを用いたスロットマシンに適用してもよい。また、図１乃至図１９に示した実施形態では、基板側コネクタと電子部品とを有し、外部へ所定の信号を出力する制御基板として主制御基板２０を用いたが、他の制御基板、例えばサブ制御基板４０を用いることも可能である。
【産業上の利用可能性】
【０１２２】
本発明は、スロットマシンに限らず、メダルを使用するアレンジボール、雀球遊技機、パチンコ機等の他の遊技機に応用することができる。
【図面の簡単な説明】
【０１２３】
【図１】図１は、本発明の一実施形態によるスロットマシンの外観構造を表した斜視図である。
【図２】図２は、本発明の一実施形態によるスロットマシンの外観構造を表した正面図である。
【図３】図３は、本発明の一実施形態によるスロットマシンの内部構造を表した図である。
【図４】図４は、本発明の一実施形態によるスロットマシンの制御システムを表したブロック図である。
【図５】図５は、本発明の一実施形態による主制御基板ユニットの分解斜視図である。
【図６】図６は、本発明の一実施形態による主制御基板ユニットの外観を示す斜視図である。
【図７】図７は、本発明の一実施形態によるハーネス側コネクタ、基板側コネクタ及びその周辺部のコネクタ基端側寄りから見た分解斜視図である。
【図８】図８は、本発明の一実施形態によるハーネス側コネクタ及びコネクタカバーのコネクタ先端側寄りから見た分解斜視図である。
【図９】図９は、本発明の一実施形態によるコネクタカバーを取り付けたハーネス側コネクタのコネクタ基端側寄りから見た斜視図である。
【図１０】図１０は、本発明の一実施形態によるコネクタカバーを取り付けたハーネス側コネクタのコネクタ先端側寄りから見た斜視図である。
【図１１】図１１は、本発明の一実施形態によるハーネス側コネクタの半体の左側から見た側面図である。
【図１２】図１２は、本発明の一実施形態によるハーネス側コネクタの半体の正面図である。
【図１３】図１３は、本発明の一実施形態によるハーネス側コネクタの半体の右側から見た側面図である。
【図１４】図１４は、本発明の一実施形態によるハーネス側コネクタの半体の背面図である。
【図１５】図１５は、本発明の一実施形態によるハーネス側コネクタの半体の上面図である。
【図１６】図１６は、本発明の一実施形態による図１３の半体のＡ−Ａ線断面図である。
【図１７】図１７は、本発明の一実施形態による図１３の半体のＢ−Ｂ線断面図である。
【図１８】図１８は、本発明の一実施形態によるハーネス側コネクタ、基板側コネクタ及びその周辺部のコネクタ基端側寄りから見た斜視図である。
【図１９】図１９は、本発明の一実施形態によるハーネス側コネクタ、基板側コネクタ及びその周辺部の断面図である。
【符号の説明】
【０１２４】
１…スロットマシン、２…外装筐体、３…前扉、４…上部パネル部、
５…下部パネル部、６…メダル受皿部、６ａ…メダル受皿、
７…操作卓、８…開口、２０…主制御基板、２１…ホッパ装置、
２２…補助貯留部、２３…電源ユニット、２４…電源基板、
２５…外部集中端子基板、３０…発光駆動部、
３２ａ、３２ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
３９…放電灯点灯装置、４０…サブ制御基板、４１…パネル面、
４２…表示窓、４６…演出用照明部、
４８ａ、４８ｂ…演出用放音部、４９…液晶表示装置、
４９ａ…表示窓、５０…パネル板、５１…表示パネル、
６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８１…電源スイッチ、８２…リセット釦、８３…設定
錠、８４…扉、９０…主制御基板ユニット、
１００…リールユニット、１０１ａ、１０１ｂ、１０１ｃ…リール、
２００…ＣＰＵ、２０１…記憶部、２０２…システムプログラム、
２０３…メダルクレジット手段、２０４…入賞抽選テーブル、
２０５…内部抽選フラグ、２０６…乱数発生装置、２１０…演出装置、
２５０、２６０…基板ケース、２５１、２５２…ブラケット部材、
３０１…本体ケース、３０２…上蓋ケース、３１１…ヒンジ軸部、
３１２…係止アーム、３２１…ヒンジ軸受部、
３１３、３２３…第１の封止機構、３２２…係止突起、
３３０…第２の封止機構、
３３１、３３２、３３３、３３４…コネクタ露出口、
３５１…マイクロプロセッサ、３５２…ＲＯＭ、３５３…ＲＡＭ、
３６１、３６２、３６３、３６４…基板側コネクタ、
３７０…絶縁筐体、３７１、３７２…端子挿入孔、
３８２…基端面、３７３、３７４…電極ピン、３８１…結合面、
３８５…凹部、３８６、３８７…貫通孔、
３８９、３９１…配線パターン、３９０、３９２…半田、
３９３、３９４…貫通部、３９５…スリット、
４０１…ハーネス、４０３、４０４…配線ケーブル、
４１０…ハーネス側コネクタ、
４１１、４１２、４１３、４１４、４１５、４５６…壁、
４２０…ジャック絶縁体、４２１…嵌合部、
４２１…嵌合部、４２２…突起部、４２３、４２４…電極ピン挿入口、
４２５、４２６…開口、４３１、４３２…ジャック端子、
４３３、４３４…ハーネス取付部材、
４３５、４３６…コネクタ着脱用可動部、４３７、４３８…板バネ、
４３５、４３６…コネクタ着脱用可動部、４４１、４４２…係合爪、
４４３、４４４…操作部、４５１、４５２、４６１、４６２…嵌合部、
４５３、４５４、４６３、４６４…段部、５０１…コネクタカバー、
５１１、５１２…半体、５２１…基端面部、５２２…壁、
５２３、５２４…第１及び第２の板状部、５２５…嵌合部、
５６１…接続面、５６２…切欠部、５６３…溝部、５６４…外側面、
５６５…貫通部、５６６…接続面、５６７…溝部、
５６８、５７４…外側面、５６９…貫通部、
５７３、５７７…板状挿入部、５７５、５７９…爪部、
５７６…接続面、５７８…外側面、５８１、５８２…係合突起部、
５８３、５８４…段部、５８０…内側面、
５８５、５８６…係合突起部、５８７…識別番号、５９０…平面部、
５９１、５９２…壁、５９３…開口、６００…貫通孔、
６０１、６０２…分割線
【図１】
2008246058.tif 000003
【図２】
2008246058.tif 000004
【図３】
2008246058.tif 000005
【図４】
2008246058.tif 000006
【図５】
2008246058.tif 000007
【図６】
2008246058.tif 000008
【図７】
2008246058.tif 000009
【図８】
2008246058.tif 000010
【図９】
2008246058.tif 000011
【図１０】
2008246058.tif 000012
【図１１】
2008246058.tif 000013
【図１２】
2008246058.tif 000014
【図１３】
2008246058.tif 000015
【図１４】
2008246058.tif 000016
【図１５】
2008246058.tif 000017
【図１６】
2008246058.tif 000018
【図１７】
2008246058.tif 000019
【図１８】
2008246058.tif 000020
【図１９】
2008246058.tif 000021